(57)【要約】【課題】スライドヒンジのヒンジ本体を筐体の側壁部内面に容易に取り付けることができるようにする。【解決手段】筐体（図示せず）の側壁部内面には、金属性の防犯プレート６を固定する。この防犯プレート６には、その一部を側壁部側から取付面６１側へ向かって切り起こすことにより、上下のフック６２，６３を形成する。一方、スライドヒンジ１の取付面６１に取り付けられるヒンジ本体２の上側の側壁部２２の先端部には、取付孔２２ａを形成する。下側の取付板部２５の先端面（下端面）には、係合凹部２５ｂを形成する。取付孔２２ａに上フック６２を挿通するとともに、係合凹部２５ｂに下フック６３を挿入する。上下のフック６２，６３により、ヒンジ本体２を所定の取付位置に仮固定する。【選択図】　　　　図５
2004060337.tif 000002
【特許請求の範囲】
【請求項１】
ヒンジ本体と、このヒンジ本体にリンクを介して回動可能に連結された扉側取付部材とを備え、上記ヒンジ本体が、基板部とこの基板部の両側部から同一方向に起立する一対の側板部と、各側板部の先端部から外側へ向かって突出する一対の取付板部とを有するスライドヒンジにおいて、
上記一対の側板部のうちの一方の側板部の起立方向における先端部に、上記側板部を貫通する取付孔を形成したことを特徴とするスライドヒンジ。
【請求項２】
上記取付孔を上記取付板部に沿って長孔状に形成したことを特徴とする請求項１に記載のスライドヒンジ。
【請求項３】
上記取付孔を上記一方の側板部に形成された取付板部に接するようにして形成したことを特徴とする請求項１又は２に記載のスライドヒンジ。
【請求項４】
ヒンジ本体と、このヒンジ本体にリンクを介して回動可能に連結された扉側取付部材とを備え、上記ヒンジ本体が、基板部とこの基板部の両側部から同一方向に起立する一対の側板部と、各側板部の先端部から外側へ向かって突出する一対の取付板部とを有するスライドヒンジにおいて、
上記一対の側板部のうちの一方の側板部の起立方向における先端部に、当該一方の側板部の両側面から上記取付板部に沿って延びる一対の切欠き部を形成したことを特徴とするスライドヒンジ。
【請求項５】
上記一対の切欠き部を上記一方の側板部に形成された取付板部に接するようにして形成したことを特徴とする請求項４に記載のスライドヒンジ。
【請求項６】
上記一対の側板部のうちの他方の側板部に設けられた取付板部の突出方向における先端面に、係合凹部を形成したことを特徴とする請求項１〜５のいずれかに記載のスライドヒンジ。
【請求項７】
基板部、この基板部の両側部から同一方向に起立する一対の側板部、及び各側板部の先端部から外側へ向かって突出する一対の取付板部を有するヒンジ本体と、このヒンジ本体にリンクを介して回動可能に連結された扉側取付部材とを備えたスライドヒンジの上記一対の取付板部を上下に離間させた状態で、水平方向を向く取付面に、上記取付板を貫通するねじ部材によって押圧固定するようにしたスライドヒンジの取付構造において、
上記取付面に、上記一対の側板部と上記一対の取付板部のうちのいずれか一つの板部に係合して上記スライドヒンジを支持する係合支持部を設けたことを特徴とするスライドヒンジの取付構造。
【請求項８】
上記係合支持部として上下方向に離れて配置された上方を向く一対のフックが用いられ、
上記一対の側板部の一方の起立方向における先端部には、上記側板部を貫通する取付孔が形成され、上記一対の側板部の他方に設けられた取付板部の上記側板部からの突出方向における先端面には係合凹部が形成され、
上記取付孔に上記一対のフックのうちの上側のフックが下側から挿通され、上記係合凹部に上記下側のフックが下側から挿入され、上記一対のフックの少なくとも一方によって上記スライドヒンジが支持されていることを特徴とする請求項７に記載のスライドヒンジの取付構造。
【請求項９】
上記係合支持部として、水平方向に互いに離れて配置された上方を向く一対の上フックと、この上フックより下側に配置され、上記取付面からほぼ水平に突出する載置板とが用いられ、上記載置板の基端部には上記取付面に沿って延びる長孔状の挿通孔が上記取付面に接するようにして形成され、
上記一対の側板部のうち上側に位置する側板部の起立方向における先端部には、その両端面から上記取付板部に沿って延びる一対の切欠き部が形成され、
上記一対の切欠き部には、上記一対の上フックが下側からそれぞれ挿通され、上記挿通孔には上記一対の取付板部のうち下側に位置する取付板部が上側から挿通され、上記一対の上フックと上記載置板との少なくとも一方によって上記スライドヒンジが支持されていることを特徴とする請求項７に記載のスライドヒンジの取付構造。
【請求項１０】
上記係合支持部が上下方向に互いに離れて一対設けられ、上記一対の係合支持部のうちの上側の係合支持部には、その一側面から上記取付面部に沿って水平方向に延び、かつ下方に向かって開放された上ガイド溝が形成され、下側の係合支持部には、上記上側の係合支持部の一側面と同一側の一側面から上記取付面部に沿って水平方向に延び、かつ上方に向かって開放された下ガイド溝が形成され、上記一対の取付板部が上記上ガイド溝と上記下ガイド溝とに上記一対の係合支持部の一側面側から水平にそれぞれ挿入され、上記下側の係合支持部によって上記スライドヒンジが支持されていることを特徴とする請求項７に記載のスライドヒンジの取付構造。
【発明の詳細な説明】
【０００１】
【発明の属する技術分野】
この発明は、前面が開口した筐体に扉を水平方向へ回動可能に取り付ける場合等に用いられるスライドヒンジ、及びこのスライドヒンジを筐体の側壁部内面等の水平方向を向く取付面に取り付けるための取付構造に関する。
【０００２】
【従来の技術】
一般に、この種のスライドヒンジは、ヒンジ本体と、このヒンジ本体にリンクを介して回動可能に連結された扉側取付部材とを備えている。ヒンジ本体は、長方の板状をなす基板部と、この基板部の両側部から同一方向へ起立する一対の側板部と、各側板部の先端部から外側へ向かって突出する一対の取付板部とから構成されている。このように構成されたヒンジ本体を筐体の側壁部内面（取付面）に取り付ける場合には、一対の取付板部を筐体の側壁部内面に対向させる。この場合、一対の取付板部は、上下方向へ互いに離れて位置させておく。そして、一対の取付板部を側壁部内面に押し付ける。その後、各取付板部を貫通して筐体の側壁部にねじ込まれたビスを締め付けることにより、一対の取付板部を側壁部内面に押圧固定する。これにより、ヒンジ本体が側壁部に固定される。一方、扉側取付部材は、ヒンジ本体を短くしたような形状に形成されるか、カップ形状に形成され、扉の背面に形成された装着凹部に挿入固定される。この結果、扉が筐体にスライドヒンジを介して水平方向へ回動可能に取り付けられる（特開平６−３０４３１９号公報参照）。
【０００３】
上記スライドヒンジを用いて扉を筐体に回動可能に取り付ける場合には、通常次のようにして行われていた。まず、扉側取付部材を扉に取り付ける。その後、ヒンジ本体を筐体の側壁部内面の所定の取付位置に押し付ける。その状態を維持しつつ、ねじ部材を取付板部に挿通するとともに、側壁部にねじ込んで締め付ける。これにより、ヒンジ本体が筐体に取り付けられ、ひいては扉が筐体にスライドヒンジを介して回動可能に取り付けられる。
【０００４】
【発明が解決しようとする課題】
ヒンジ本体を側壁部内面に取り付ける場合には、重い扉を支えつつねじ部材をねじ込まなければならない。これは、非常に困難な作業であり、一人で行うことが難しいという問題があった。しかも、多数のねじ部材をねじ込まなければならないため、取付作業がより一層困難なものになっていた。
【０００５】
【課題を解決するための手段】
この発明は、上記の問題を解決するためになされたものであり、この発明の第１の態様は、ヒンジ本体と、このヒンジ本体にリンクを介して回動可能に連結された扉側取付部材とを備え、上記ヒンジ本体が、基板部とこの基板部の両側部から同一方向に起立する一対の側板部と、各側板部の先端部から外側へ向かって突出する一対の取付板部とを有するスライドヒンジにおいて、上記一対の側板部のうちの一方の側板部の起立方向における先端部に、上記側板部を貫通する取付孔を形成したことを特徴としている。
この場合、上記取付孔については、上記取付板部に沿って長孔状に形成するのが望ましく、上記一方の側板部に形成された取付板部に接するようにして形成することがさらに望ましい。上記一対の側板部のうちの他方の側板部に設けられた取付板部の突出方向における先端面に、係合凹部を形成することが望ましい。
【０００６】
この発明の第２の態様は、ヒンジ本体と、このヒンジ本体にリンクを介して回動可能に連結された扉側取付部材とを備え、上記ヒンジ本体が、基板部とこの基板部の両側部から同一方向に起立する一対の側板部と、各側板部の先端部から外側へ向かって突出する一対の取付板部とを有するスライドヒンジにおいて、上記一対の側板部のうちの一方の側板部の起立方向における先端部に、当該一方の側板部の両側面から上記取付板部に沿って延びる一対の切欠き部を形成したことを特徴としている。
この場合、上記一対の切欠き部を上記一方の側板部に形成された取付板部に接するようにして形成することが望ましい。上記一対の側板部のうちの他方の側板部に設けられた取付板部の突出方向における先端面に、係合凹部を形成することが望ましい。
【０００７】
この発明の第３の態様は、基板部、この基板部の両側部から同一方向に起立する一対の側板部、及び各側板部の先端部から外側へ向かって突出する一対の取付板部を有するヒンジ本体と、このヒンジ本体にリンクを介して回動可能に連結された扉側取付部材とを備えたスライドヒンジの上記一対の取付板部を上下に離間させた状態で、水平方向を向く取付面に、上記取付板を貫通するねじ部材によって押圧固定するようにしたスライドヒンジの取付構造において、上記取付面に、上記一対の側板部と上記一対の取付板部のうちのいずれか一つの板部に係合して上記スライドヒンジを支持する係合支持部を設けたことを特徴としている。
この場合、上記係合支持部として上下方向に離れて配置された上方を向く一対のフックが用いられ、上記一対の側板部の一方の起立方向における先端部には、上記側板部を貫通する取付孔が形成され、上記一対の側板部の他方に設けられた取付板部の上記側板部からの突出方向における先端面には係合凹部が形成され、上記取付孔に上記一対のフックのうちの上側のフックが下側から挿通され、上記係合凹部に上記下側のフックが下側から挿入され、上記一対のフックの少なくとも一方によって上記スライドヒンジが支持されていてもよい。
上記係合支持部として、水平方向に互いに離れて配置された上方を向く一対の上フックと、この上フックより下側に配置され、上記取付面からほぼ水平に突出する載置板とが用いられ、上記載置板の基端部には上記取付面に沿って延びる長孔状の挿通孔が上記取付面に接するようにして形成され、上記一対の側板部のうち上側に位置する側板部の起立方向における先端部には、その両端面から上記取付板部に沿って延びる一対の切欠き部が形成され、上記一対の切欠き部には、上記一対の上フックが下側からそれぞれ挿通され、上記挿通孔には上記一対の取付板部のうち下側に位置する取付板部が上側から挿通され、上記一対の上フックと上記載置板との少なくとも一方によって上記スライドヒンジが支持されていてもよい。
上記係合支持部が上下方向に互いに離れて一対設けられ、上記一対の係合支持部のうちの上側の係合支持部には、その一側面から上記取付面部に沿って水平方向に延び、かつ下方に向かって開放された上ガイド溝が形成され、下側の係合支持部には、上記上側の係合支持部の一側面と同一側の一側面から上記取付面部に沿って水平方向に延び、かつ上方に向かって開放された下ガイド溝が形成され、上記一対の取付板部が上記上ガイド溝と上記下ガイド溝とに上記一対の係合支持部の一側面側から水平にそれぞれ挿入され、上記下側の係合支持部によって上記スライドヒンジが支持されていてもよい。
【０００８】
【発明の実施の形態】
以下、この発明の実施の形態について図１〜図１５を参照して説明する。
図１〜図５は、この発明に係るスライドヒンジの取付構造の第１の実施の形態を示す。図３に示すように、この実施の形態は、パチスロ等の遊技機の筐体４にスライドヒンジ１を取り付けるための取付構造にこの発明を適用したものであり、スライドヒンジ１は筐体４の上下方向へ互いに離れて複数配置されている。そして、各スライドヒンジ１によって扉５が筐体４に水平方向へ回動可能に連結されている。勿論、この発明は、遊技機以外の筐体にスライドヒンジを取り付ける場合にも適用可能である。
【０００９】
まず、筐体４及び扉５について説明すると、図３に示すように、筐体４は、左右一対の側壁部４１，４１（一方の側壁部４１のみ図示）と、この一対の側壁部４１，４１の下端部間に設けられた下壁部（図示せず）と、一対の側壁部４１，４１の上端部間に設けられた上壁部４２と、一対の側壁部４１，４１、下壁部及び上壁部４２の背面側に設けられた背壁部（図示せず）とを有しており、それらの壁部によって前面が開放された四角形の箱状に形成されている。側壁部４１，４１、下壁部及び上壁部４２の各内面には、防犯プレート６が設けられている。この防犯プレート６は、金属性の板材からなるものであり、側壁部４１、下壁部及び上壁部４２の開放側端部に沿って配置固定されている。
【００１０】
扉５は、左右一対の側壁部５１，５１（一方の側壁部５１のみ図示）と、この一対の側壁部５１，５１の下端部間に設けられた下壁部（図示せず）と、一対の側壁部５１，５１の上端部間に設けられた上壁部５２と、一対の側壁部５１，５１、下壁部及び上壁部５２の前面側に設けられた前壁部５３とを有しており、それらの壁部によって背面が開放された深さの浅い四角形の箱状に形成されている。そして、扉５は、その一対の側壁部５１、下壁部及び上壁部５２の背面部を筐体４の側壁部４１、下壁部及び上壁部４２の前面部にそれぞれほぼ接触させることにより、筐体４の前面開放部を閉じている。側壁部５１，５１、下壁部及び上壁部５２の各内面には、防犯プレート７が設けられている。この防犯プレート７は、金属性の板材からなるものであり、側壁部５１、下壁部及び上壁部５２の開放側端部に沿って配置固定されている。しかも、防犯プレート７の背面側の側部と防犯プレート６の前面側の側部とは、扉５を閉じた状態にすると互いに対向する。これにより、筐体４の前面と扉５の背面との間から針金を侵入させる等の不正行為が防止されるようになっている。
【００１１】
スライドヒンジ１は、図１及び図２に示すように、ヒンジ本体２及び扉側取付部材３とを有している。
ヒンジ本体２は、金属性の板材からなるものであり、長方形の板状をなす基板部２１を有している。基板部２１の両側部には、基板部２１から同一方向に向かってほぼ直角に起立する一対の側板部２２，２３がそれぞれ一体に形成されている。各側板部２２，２３の起立方向における先端部には、各側板部２２，２３から互いに離間するように外側へ向かって突出する一対の取付板部２４，２５がそれぞれ一体に形成されている。一対の取付板部２４，２５は、同一平面上に位置するように配置されている。一対の取付板部２４，２５は、異なる平面上に互いに平行に配置してもよい。各取付板部２４，２５の中央部には、これを貫通するねじ挿通孔２４ａ，２５ａがそれぞれ形成されている。
【００１２】
扉側取付部材３は、金属性の板材からなるものであり、長方形の板状をなす底板部３１を有している。底板部３１の両側部には、底板部３１から同一方向に向かってほぼ直角に起立する一対の側板部３２，３３がそれぞれ一体に形成されている。各側板部３２，３３の一端部は、軸線を側板部３２，３３と直交させた一対のリンク１１，１２の一端部が回動可能に連結されている。この一対のリンク１１，１２の他端部は、ヒンジ本体２の各側板部２２，２３の一端部に側板部２２，２３と直交する軸線を中心として回動可能に連結されている。これにより、扉側取付部材３がヒンジ本体２に回動可能に連結されている。各側板部３２，３３の他端部でその起立方向における先端部には、各側板部３２，３３から互いに離間するように外側へ向かって突出する一対の取付板部３４，３５がそれぞれ一体に形成されている。一対の取付板部３４，３５は、同一平面上に位置するように配置されている。
【００１３】
ヒンジ本体２は、筐体４の側板部４１に防犯プレート６を介して取り付けられており、扉側取付部材３は、扉５の側板部５１に防犯プレート７を介して取り付けられている。詳細については後述するが、ヒンジ本体２は、リンク１１，１２が取り付けられた一端部（以下、先端部という。）を筐体４の開放側に位置させ、かつ一対の取付板部３４，３５を上下に離間させた状態で、防犯プレート６に取り付けられている。したがって、リンク１１，１２は、上下方向を向く軸線を中心として水平方向へ回動可能になっており、これによって扉５が筐体４に水平方向へ回動可能に連結されている。
【００１４】
図４に示すように、筐体４の側壁部４１の内面と同一方向を向く（筐体４の内側を向く）防犯プレート６の一方の面が取付面６１になっている。防犯プレート６には、その上下２箇所を側壁部４１側から取付面６１側に向かって切り起こすことにより、上フック（係合支持部）６２と下フック（係合支持部）６３とが形成されている。また、筐体４の前面開放側に位置する防犯プレート６の側部には、取付面６１から筐体５の内側へ向かって直角に起立するガイド部６４が形成されている。ガイド部６４は、上下方向に延びている。
【００１５】
上記上フック６２は、取付面６１から筐体４の内側へ向かって水平に突出する支持板部６２ａと、この支持板部６２ａの突出方向における先端部から上方へ向かって起立する係合板部６２ｂとから構成されている。係合板部６２ｂの中央部には、これを貫通するねじ挿通孔６２ｃが形成されている。係合面６１と係合板部６２ｂとの間隔は、そこに取付板部２４を挿入することができるよう、取付板部２４の厚さとほぼ同一になっている。上記下フック６３も上フック６２と同様に、支持板部６３ａ及び係合板部６３ｂによって構成されている。係合板部６３ｂの中央部には、これを貫通するねじ挿通孔６３ｃが形成されている。取付面６１と係合板部６３ｂとの間隔は、そこに取付板部２５を挿入することができるよう、取付板部２５の厚さとほぼ同一になっている。
【００１６】
図１に示すように、ヒンジ本体２の一方の側板部２２の起立方向における先端部には、これを貫通する取付孔２２ａが形成されている。この取付孔２２ａは、取付板部２４に沿って延びる長孔状に形成されており、取付板部２４の基板部２１側を向く面に接するように配置されている。取付孔２２ａの内部に上フック６２の係合板部６２ｂを挿通することができるよう、取付孔２２ａの長さＬ２は、係合板部６２ｂの水平方向の長さＬ１とほぼ同等に設定され、取付孔２２ａの幅は、係合板部６２ｂの厚さとほぼ同一に設定されている。
【００１７】
図２に示すように、他方の側板部２３に形成された取付板部２５の側板部２３から突出する方向を向く先端面には、係合凹部２５ｂが形成されている。この係合凹部２５ｂに下フック６３の支持板部６３ｂを下側から挿入することができるよう、係合凹部２５ａの長さＬ４は、支持板部６３ａの長さＬ３とほぼ同一に設定され、その深さは支持板部６３ａの厚さとほぼ同一に設定されている。係合凹部２５ｂの深さは、支持板部６３ａの厚さより深くしてもよい。係合凹部２５ｂの底面と側板部２２の内側の面との間隔Ｗ２は、フック６２，６３の支持板部６２ａ，６３ａの各上面間の間隔Ｗ１とほぼ同一になっている。したがって、係合凹部２３ｂの底面を支持板部６３ａ上に載置すると、これと同時に側板部２２の先端部（＝取付板部２４の基端部）が支持板部６２ａ上に載置される。
【００１８】
上記構成のヒンジ本体２は、例えば次のような手順を経て防犯プレート６に取り付けられている。すなわち、取付板部２４が取付板部２５より上側に位置し、かつ取付板部２４，２５の間に上フック６２が位置するようにした状態で、取付板部２４，２５を防犯プレート６の取付面６１と対向させる。その後、図５に示すように、取付板部２４，２５を取付面６１に押し付ける。すると、ヒンジ本体２が上フック６２を跨ぐようになる。これと同時に、又はこれと前後して、取付板部２４，２５の先端面（扉側取付部材３側の端面）をガイド部６４に押し付ける。すると、取付孔２２ａ及び係合凹部２５ｂが、筐体の前後方向（図５の左右方向）において上フック６２及び下フック６３と同一位置に位置する。つまり、取付孔２２ａ及び係合凹部２５ｂが、それぞれ上フック６２及び下フック６３の真上に位置する。したがって、取付板部２４，２５をガイド部６４に押し付けた状態を維持しつつヒンジ本体２を下方へ移動させると、図６に示すように、上フック６２の係合板部６２ｂが取付孔２２ａに入り込む。ヒンジ本体２をさらに下方へ移動させると、係合凹部２５ｂに下フック６３の支持板部６３ａが入り込む。その後、ヒンジ本体２をさらに下方へ移動させると、側板部２２の下方を向く面がフック６２の支持板部６２ａに突き当たると同時に、係合凹部２５ｂの底面がフック６３の支持板部６３ａに突き当たる。
【００１９】
側板部２２及び係合凹部２５ｂの底面が支持板部６２ａ，６３ａにそれぞれ突き当たった状態においては、ヒンジ本体２に作用する荷重がフック６２，６３の支持板部６２ａ，６３ａによって支持される。しかも、係合板部６２ｂ，６３ｂが取付孔２２ａ、係合凹部２５ｂにそれぞれ嵌合することにより、筐体４の前後方向（図６の左右方向）へのヒンジ本体２の移動が阻止されるとともに、係合板部６２ｂ，６３ｂが取付板部２２，２３にそれぞれ接触することにより、筐体４の側壁部４１から内側へ向かう方向におけるヒンジ本体２の移動が阻止される。その結果、ヒンジ本体２は、上下のフック６２，６３により防犯プレート６に仮固定される。つまり、ヒンジ本体２は、上下のフック６２，６３により、筐体４の前後方向、内側方向及び下方に対して移動不能に係止される。仮固定状態においては、取付板部２４，２５のねじ挿通孔２４ａ，２５ａがフック６２，６３のねじ挿通孔６２ｃ，６３ｃと軸線をそれぞれ一致させている。そこで、ねじ挿通孔６２ｃ，２４ａ及びねじ挿通孔６３ｃ，２５ａにビス（ねじ部材；図示せず）を挿通する。そして、ビスを側壁部４１にねじ込んで締め付けることにより、ヒンジ本体２を防犯プレート６に押圧固定する。これにより、ヒンジ本体２が筐体４の側壁部４１に防犯プレート６を介して押圧固定される。
【００２０】
なお、取付板部２４，２５にねじ挿通孔２４ａ，２５ａに代えて雌ねじ孔をそれぞれ形成したり、取付板部２４，２５の側壁部４１側を向く面にナットを固定し、各ねじ挿通孔６２ｃ，６３ｃに挿通したビスを各雌ねじ孔又は各ナットにそれぞれ螺合させて締め付けることにより、取付板部２４，２５を係合板部６２，６３にそれぞれ固定するようにしてもよい。
【００２１】
図３及び図６に示すように、防犯プレート７には、これを貫通する貫通孔７１が形成されている。この貫通孔７１には、扉側取付部材３が挿入されており、扉側取付部材３は、その取付板部３４，３５が扉５の背面側を向く防犯プレート７の面に突き当たるまで挿入されている。そして、取付板部３４，３５のねじ挿通孔３４ａ，３５ａを貫通して防犯プレート７に形成されたねじ孔（図示せず）に螺合されたビス（図示せず）を締め付けることにより、扉側取付部材３が防犯プレート７に固定され、ひいては扉５に固定されている。
【００２２】
上記構成のスライドヒンジの取付構造によれば、取付孔２２ａに上フック６２を挿入するとともに、係合凹部２５ｂに下フックを挿入することにより、ヒンジ本体２が上下のフック６２，６３によって支持される。したがって、ヒンジ本体２を筐体４の側壁部４１に防犯プレート６を介して取り付けるに際しては、扉側取付部材３に予め取り付けられた扉５の荷重を手で支える必要がない。よって、ヒンジ本体２を側壁部４１に一人でも容易に取り付けることができる。しかも、扉５の荷重がフック６２，６３によって支持されるから、側壁部４１に螺合されるビスは、ヒンジ本体２に作用する荷重を支える必要がほとんどない。したがって、ビスの本数を減らすことができる。事実、従来のスライドヒンジでは、各取付板部２４，２５を固定するためのビスが２本ずつ用いられていたのに対し、この実施の形態のスライドヒンジ１では、各取付板部２４，２５をそれぞれ一つのビスで固定するようにしている。
【００２３】
また、上下のフック６２，６３がヒンジ本体２を支持して仮固定した状態では、フック６２の係合板部６２ｂが取付孔２２ａに嵌合するとともに、フック６３の係合板部６３ｂが係合凹部２５ｂに嵌合することにより、ヒンジ本体２が所定の取付箇所に位置固定されている。したがって、ヒンジ本体２をビスで固定する際には、ヒンジ本体２の位置合わせを行う必要がなく、単にヒンジ本体２をフック６２，６３によって支持させるだけで、ヒンジ本体２の各取付板部２４，２５のねじ挿通孔２４ａ，２５ａを係合板部６２ｂ，６３ｂのねじ挿通孔６２ｃ，６３ｃと位置合わせすることができる。したがって、ビスを各ねじ挿通孔２４ａ，６２ｃ；２５ａ，６３ｃにそれぞれ容易に挿通することができ、それによってヒンジ本体２を側壁部４１により一層容易に取り付けることができる。
【００２４】
次に、この発明の他の実施の形態について説明する。なお、以下の実施の形態については、上記実施の形態を異なる構成だけを説明することとし、同様な構成部分には同一符号を付してその説明を省略する。
【００２５】
図７〜図１０は、この発明の第２の実施の形態を示す。この実施の形態においては、図９に示すように、ヒンジ本体２の側板部２２に、上記実施の形態の取付孔２２ａに代えて、二つの切欠き部２２ｂ，２２ｂが形成されている。各切欠き部２２ｂ，２２ｂは、側板部２２の両側面（筐体４の前後方向を向く両面）から取付板部２４に沿って互いに接近するように延びており、取付板部２４に接するように配置されている。図７及び図９に示すように、この実施の形態においては、取付板部２４の両側部にも、切欠き部２２ｂ，２２ｂと同様の切欠き部２４ｂ，２４ｂが形成されている。しかし、この切欠き部２４ｂ，２４ｂについては、図９において想像線で示すように、必ずしも形成する必要はない。他方の取付板部２５は、上記のスライドヒンジ１の取付板部２５が取付板部２４と筐体４の前後方向において同一長さを有していたのに対し、取付板部２４より短くなっている。この取付板部２５の側板部２３からの突出方向における先端面と両側面（筐体４の前後方向における両面）との交差部には、傾斜したガイド面２５ｃ，２５ｃが形成されている。
【００２６】
一方、ヒンジ本体２が取り付けられる防犯プレート６には、図８に示すように、二つの上フック６２，６２が形成されている。上フック６２，６２は、筐体４の高さ方向には同一位置に、前後方向（図８の左右方向）へは上記切欠き部２２ｂ，２２ｂの間隔とほぼ同一距離だけ離れて配置されている。上フック６２の下側には、上記実施の形態の下フック６３に代えて、防犯プレート６の取付面６１からほぼ直角に突出する水平な載置板（係合支持部）６５が形成されている。この載置板６５の基端部には、挿通孔６５ａが形成されている。この挿通孔６５ａは、載置板６５の長手方向（筐体４の前後方向）に沿って延びる長孔状に形成されており、防犯プレート６の取付面６１に接するように配置されている。しかも、挿通孔６５ａは、その内部にヒンジ本体２の取付板部２５を挿入することができるように、その長さ及び幅が取付板部２５の長さ及び厚さとほぼ同一に設定されている。
【００２７】
上記ヒンジ本体２は、例えば、次のようにして防犯プレート６に取り付けられている。まず、前述した実施の形態の場合と同様に、取付板部２４，２５を取付面６１に押し付けるとともに、取付板部２４をガイド部６４に押し付ける。すると、一対の切欠き部２２ｂ，２２ｂと一対の上フック６２，６２が筐体４の前後方向において同一位置に位置し、上下に対向する。また、挿通孔６５ａと取付板部２５とが筐体４の前後方向において同一位置に位置する。したがって、その状態を維持しつつヒンジ本体２を下方へ移動させると、取付板部２５が支持板６５の挿通孔６５ａに入り込むとともに、上フック６２，６２が切欠き部２２ｂ，２２ｂに入り込む。このとき、ガイド部６４によって案内されているのが取付板部２４だけであり、取付板部２５がガイド部６４によって案内されていない。このため、ヒンジ本体２を下方へ移動させる際にその姿勢が不安定になりがちであるが、上フック６２，６２は、取付板部２４に接近しているので、ほとんど問題なく切欠き部２２ｂ，２２ｂに挿入することができる。一方、取付板部２５は、その突出方向における先端部と両側部との交差部にガイド面２５ｃ，２５ｃが形成されているので、ヒンジ本体２の姿勢が若干不安定でも挿通孔６５ａに確実に挿入することができる。
【００２８】
ヒンジ本体２をさらに下方へ移動させると、側板部２３が載置板６５の上面に突き当たるとともに、取付板部２４の切欠き部２４ｂに臨む基端面（下端面）が上フック６２，６２の支持板部６２ａ，６２ａに突き当たる。この結果、ヒンジ本体２が上フック６２，６２及び支持板６５によって支持されるとともに、筐体４の側壁部４１に対して接近離間する方向及び筐体４の前後方向への移動が阻止され、ヒンジ本体２が防犯プレート６に仮固定される。その後、取付板部２４のねじ挿通孔２４ａに挿通されたビス（図示せず）、及び取付板部２５のねじ挿通孔２５ａ及び防犯プレート６に形成されたねじ挿通孔（図示せず）に挿通されたビス（図示せず）をそれぞれ側壁部４１に螺合させて締め付けることにより、ヒンジ本体２が防犯プレート６に固定され、ひいては側壁部４１に固定されている。
【００２９】
なお、この実施の形態においては、載置板６５に代えて図１〜図６に示す実施の形態の下フック６３を形成するとともに、取付板部２５の突出方向（筐体４の下方）を向く下端面に係合凹部２５ｂを形成してもよい。逆に、図１〜図６に示す実施の形態におては、下フック６３に代えて載置板６５を形成するとともに、載置板６５に挿通孔６５ａを形成し、この挿通孔６５ａに取付板部２５を上側から挿通するようにしてもよい。
【００３０】
図１１〜図１３は、この発明の第３の実施の形態を示す。この実施の形態では、図１１に示すスライドヒンジ１Ａが用いられている。スライドヒンジ１Ａは、取付板部２４，２５に形成されたねじ挿通孔２４ａ，２５ａが各取付板部２４，２５の後端部に配置されている点を除き、従来のスライドヒンジと同様に構成されている。したがって、前述した実施の形態のヒンジ本体２が有する取付孔２２ａ及び係合凹部２５ｂ又は切欠き部２２ｂ，２４ｂを有していない。
【００３１】
図１２に示すように、防犯プレート６の取付面６１には、上下一対のガイド部（係合支持部）６６，６７が設けられている。上ガイド部６６は、取付面６１から直角に突出する突出部６６ａと、この突出部６６ａの先端部から取付面６１に沿って下方へ延びる係合板部６６ｂとから構成されている。そして、突出部６６ａと係合板部６６ｂとにより、上ガイド溝６６ｃが形成されている。この上ガイド溝６６ｃは、ガイド部６６を水平方向（筐体４の前後方向）に貫通し、かつ下方に開放されている。しかも、取付面６１に接している。ただし、この実施の形態では、上ガイド部６６が防犯プレート６を切り起こすことによって形成されている関係上、上ガイド溝６６ｃは側壁部４１側に開放されている。ガイド部６６は、溶接、その他の固定手段によって取付面６１に固定してもよく、そのような場合には上ガイド溝６６ｃが取付面６１に接するようになる。下ガイド部６７も上ガイド部６６と同様に、取付面６１から直角に突出する突出部６７ａと、この突出部６７ａの先端部から取付面６１に沿って上方へ延びる係合板部６７ｂとから構成されており、突出部６７ａ及び係合板部６７ｂとによって下ガイド溝６７ｃが形成されている。下ガイド溝６７ｃは、上方に向かって開放されている点を除き、上ガイド溝６６ｃと同様に構成されている。
【００３２】
上下のガイド溝６６ｃ，６７ｃの幅、つまり取付面６１と係合板部６６ｂ，６７ｂとの間隔は、取付板部２４，２５の厚さとほぼ同一に設定されている。突出部６６ａと突出部６７ａとの対向面間の距離は、取付板部２４，２５の外法寸法とほぼ同一に設定されている。したがって、取付板部２４，２５は、図１３に示すように、それらを取付面６１に接触させた状態で筐体４の奥側から前面側へ移動させることによって上下のガイド溝６６ｃ，６７ｃに挿入可能であり、図１４に示すように、取付板部２４，２５の前端面がガイド部６４に突き当たるまで上下のガイド溝６６ｃ，６７ｃに挿入すると、ヒンジ本体２が上下のガイド部６６，６７によって所定の取付位置に仮固定される。すなわち、ヒンジ本体２は、下ガイド部６７の突出部６７ａによって支持されるとともに、取付面６１から離れる方向へは係合板部６６ｂ，６７ｂによって係止される。ヒンジ本体２が仮固定された状態では、取付板部２４，２５のねじ挿通孔２４ａ，２５ａが防犯プレート６に形成されたねじ挿通孔６ａ，６ｂと対向する。そこで、ねじ挿通孔２４ａ，６ａ；２５ａ，６ｂにそれぞれ挿通されたビスを側壁部にねじ込んで締め付けることにより、取付板部２４，２５が防犯プレート６に固定され、ひいてはヒンジ本体２が防犯プレート６を介して側壁部４１に固定されている。
【００３３】
なお、上下のガイド溝６６ｃ，６７ｃについては、筐体４の開放側の端部を当接板部等のストッパ手段によって閉じておいてもよく、取付板部２４，２５を当接板部にそれぞれ突き当てることにより、ヒンジ本体２を所定の取付位置に位置させる（仮固定する）ようにしてもよい。これは、次の実施の形態においても同様である。
【００３４】
図１５は、この発明の第４の実施の形態において用いられる防犯プレート６を示す。この防犯プレート６も、図１２に示す防犯プレート６と同様に、上下のガイド部６６，６７を有している。この場合、上ガイド部６６は、図１２に示すものと同様であるが、下ガイド部６７は、筐体４の前後方向（図１５の左右方向）における長さが上ガイド部６６より長くなっており、筐体４の奥側における下ガイド部６７の端部が上ガイド部６６から筐体４の奥側に向かって突出させられている。
【００３５】
したがって、この防犯プレート６にスライドヒンジ１Ａのヒンジ本体２を取り付ける場合には、取付板部２４，２５を上ガイド部６６より筐体４の奥側に位置させるとともに、取付板部２５を下ガイド部６７の上側に位置させる。その状態で取付板部２４，２５を取付面６１に押し付ける。次に、ヒンジ本体２を図１５の矢印Ａ方向へ移動させ、取付板部２５の突出方向の先端面が下ガイド部６７の突出部６７ａに突き当たるまで下ガイド溝６７ｃに挿入する。その後、ヒンジ本体２を図１５の矢印Ｂ方向へ移動させ、取付板部６６を上ガイド溝６６ｃに挿入する。取付板部２４，２５がガイド部６４に突き当たるまでヒンジ本体２をさらに矢印Ｂ方向へ移動させる。これにより、ヒンジ本体２が仮固定される。ヒンジ本体２が仮固定された状態では、取付板部２４のねじ挿通孔２４ａが防犯プレート６に形成されたねじ挿通孔６ａと対向するとともに、取付板部２５に形成されたねじ挿通孔２５ａが係合板部６７ｂに形成されたねじ挿通孔６７ｄと対向する。そこでねじ挿通孔２４ａ，６ａにビスを挿通するとともに、ねじ挿通孔６７ｄ，２５ａにビスを挿通し、各ビスを側壁部４１にねじ込んで締め付けることにより、ヒンジ本体２が防犯プレート６を介して側壁部４１に固定される。
【００３６】
なお、この発明は、上記の実施の形態に限定されるものでなく、適宜変更可能である。
例えば、上記の実施の形態においては、筐体４の側壁部４１内面の開放側端部に、ヒンジ本体２を防犯プレート６を介して取り付けているが、ヒンジ本体２を側壁部４１内面に直接取り付けるようにしてもよい。その場合には、フック６２，６３、支持板６５及び上下のガイド部６６，６７を側壁部４１内面にビス等の固定手段によって個別に固定すればよい。また、スライドヒンジ１，１Ａが遊技機の筐体４及び扉５に用いられているため、ヒンジ本体２が防犯プレート６を介して側壁部４１に取り付けられているが、他のプレートを介して取り付けるようにしてもよい。
また、上記の実施の形態においては、ヒンジ本体２を上下のフック６２，６３の両者によって支持し（第１の実施の形態）、あるいは上フック６２，６２及び支持板６５の三者によって支持している（第２の実施の形態）が、上下のフック６２，６３のいずれか一方、又は上フック６２，６２と支持板６５とのいずれか一方だけで支持するようにしてもよい。
【００３７】
【発明の効果】
以上説明したように、この発明によれば、　ヒンジ本体を側壁部内面に取り付ける場合に重い扉を支える必要がないので、ヒンジ本体の取付作業を一人で容易に行うことができる。しかも、ヒンジ本体を固定するためのねじ部材の数を減らすことができるので、取付作業をより一層容易に行うことができる。
【図面の簡単な説明】
【図１】この発明に係るスライドヒンジの取付構造の一実施の形態において用いられるスライドヒンジの一例を示す斜視図である。
【図２】同スライドヒンジを図１とは別の角度から見た斜視図である。
【図３】同スライドヒンジが取り付けられた遊技機の筐体及び扉のそれぞれの要部を示す斜視図である。
【図４】図３に示す筐体の側壁部内面に固定された防犯プレートの要部を示す斜視図である。
【図５】図１及び図２に示すスライドヒンジのヒンジ本体を防犯プレートに取り付ける方法を説明するための斜視図である。
【図６】図１及び図２に示すスライドヒンジが防犯プレートの所定の取付位置に仮固定された状態を示す斜視図である。
【図７】この発明に係るスライドヒンジの取付構造の第２の実施の形態において用いられるヒンジ本体を示す斜視図である。
【図８】図７に示すヒンジ本体が取り付けられる防犯プレートを示す斜視図である。
【図９】図７に示すヒンジ本体を図８に示す防犯プレートに取り付ける方法を説明するための斜視図である。
【図１０】図７に示すヒンジ本体が図８に示す防犯プレートの所定の位置に仮固定された状態を示す斜視図である。
【図１１】この発明に係るスライドヒンジの取付構造の第３の実施の形態において用いられるスライドヒンジの一例を示す斜視図である。
【図１２】図１１に示すスライドヒンジが取り付けられる防犯プレートを示す斜視図である。
【図１３】図１１に示すスライドヒンジを図１２に示す防犯プレートに取り付ける方法を説明するための斜視図である。
【図１４】図１１に示すスライドヒンジが図１２に示す防犯プレートの所定の取付位置に仮固定された状態を示す斜視図である。
【図１５】この発明に係るスライドヒンジの取付構造の第４の実施の形態に用いられる防犯プレートを示す斜視図である。
【符号の説明】
１　スライドヒンジ
１Ａ　スライドヒンジ
２　ヒンジ本体
３　扉側取付部材
１１　リンク
１２　リンク
２１　基板部
２２　側板部
２２ａ　取付孔
２２ｂ　切欠き部
２３　側板部
２４　取付板部
２５　取付板部
２５ｂ　係合凹部
６１　取付面（取付面部）
６２　上フック（係合支持部）
６３　下フック（係合支持部）
６５　載置板（係合支持部）
６５ａ　挿通孔
６６　上ガイド部（係合支持部）
６６ｃ　上ガイド溝
６７　下ガイド部（係合支持部）
６７ｃ　下ガイド溝
【図１】
2004060337.tif 000003
【図２】
2004060337.tif 000004
【図３】
2004060337.tif 000005
【図４】
2004060337.tif 000006
【図５】
2004060337.tif 000007
【図６】
2004060337.tif 000008
【図７】
2004060337.tif 000009
【図８】
2004060337.tif 000010
【図９】
2004060337.tif 000011
【図１０】
2004060337.tif 000012
【図１１】
2004060337.tif 000013
【図１２】
2004060337.tif 000014
【図１３】
2004060337.tif 000015
【図１４】
2004060337.tif 000016
【図１５】
2004060337.tif 000017
【手続補正書】
【提出日】平成14年9月10日(2002.9.10)
【手続補正１】
【補正対象書類名】図面
【補正対象項目名】全図
【補正方法】変更
【補正の内容】
【図１】
2004060337.tif 000018
【図２】
2004060337.tif 000019
【図３】
2004060337.tif 000020
【図４】
2004060337.tif 000021
【図５】
2004060337.tif 000022
【図６】
2004060337.tif 000023
【図７】
2004060337.tif 000024
【図８】
2004060337.tif 000025
【図９】
2004060337.tif 000026
【図１０】
2004060337.tif 000027
【図１１】
2004060337.tif 000028
【図１２】
2004060337.tif 000029
【図１３】
2004060337.tif 000030
【図１４】
2004060337.tif 000031
【図１５】
2004060337.tif 000032